(57)【特許請求の範囲】
【請求項１】
情報処理装置と産業機械用制御装置との間で産業機械の運転データの転送を行うデータ転送装置において、
前記情報処理装置が有する前記産業機械の初期運転データを前記産業機械用制御装置の読取形式に合わせて保存し、前記産業機械用制御装置が前記初期運転データをタイミングを合わせて読込可能となると共に、前記産業機械用制御装置により調整された調整運転データを保存して前記情報処理装置が読込可能となる記憶装置を設けることを特徴とするデータ転送装置。
【請求項２】
前記情報処理装置と前記産業機械用制御装置に、それぞれ操作装置が接続され、前記情報処理装置における操作装置の読込ボタンの操作により初期運転データが前記記憶装置に書き込まれ、前記産業機械用制御装置における操作装置の読込ボタンの操作により初期運転データが前記産業機械用制御装置に転送されて保存されることを特徴とする請求項１に記載のデータ転送装置。
【請求項３】
前記産業機械用制御装置における操作装置の書込ボタンの操作により調整運転データが前記記憶装置に書き込まれ、前記情報処理装置における操作装置の書込ボタンの操作により前記調整運転データが前記情報処理装置に転送されて保存されることを特徴とする請求項２に記載のデータ転送装置。
【請求項４】
前記情報処理装置は、前記記憶装置に書き込まれた初期運転データの読込が禁止されることを特徴とする請求項１から３のいずれか一つに記載のデータ転送装置。
【請求項５】
前記産業機械用制御装置の読取形式とは、フロッピーディスクドライブまたは磁気カードリーダの読み取り形式であることを特徴とする請求項１から４のいずれか一つに記載のデータ転送装置。
【請求項６】
前記産業機械は、印刷機であり、前記情報処理装置は、初期運転データとしての絵柄面積率データを印刷機用制御装置の読取形式に合わせて前記記憶装置に保存する一方、前記印刷機用制御装置は、前記記憶装置の絵柄面積率データを読込んでインキキー開度またはインキ元ローラ送り量に変換して前記印刷機を制御することを特徴とする請求項１に記載のデータ転送装置。
【請求項７】
前記印刷機用制御装置は、印刷終了後に、調整運転データとしてのインキキー開度またはインキ元ローラ送り量を前記記憶装置に保存する一方、前記情報処理装置は前記記憶装置のインキキー開度またはインキ元ローラ送り量を読取って保存することを特徴とする請求項６に記載のデータ転送装置。
【請求項８】
前記印刷機用制御装置は、印刷終了後に、調整運転データとしてのインキキー開度またはインキ元ローラ送り量を絵柄面積率データに変換して前記記憶装置に保存する一方、前記情報処理装置は前記記憶装置の絵柄面積率データを読取って保存することを特徴とする請求項６に記載のデータ転送装置。
【請求項９】
前記記憶装置は、リモコンデスク内に収容されることを特徴とする請求項６から８のいずれか一つに記載のデータ転送装置。
【請求項１０】
前記産業機械は、印刷機であり、刷版絵柄測定装置が刷版から測定した絵柄面積率を印刷機用制御装置の読取形式に合わせて前記記憶装置に保存する一方、前記情報処理装置は、前記記憶装置の絵柄面積率を読込可能であることを特徴とする請求項１に記載のデータ転送装置。
【請求項１１】
情報処理装置と印刷機用制御装置との間で印刷機の運転データの転送を行い、印刷機用制御装置が運転データを調整しながら印刷機を制御して印刷作業を行う印刷システムにおいて、
前記情報処理装置が前記印刷機の初期運転データを前記印刷機用制御装置の読取形式に合わせて記憶装置に保存する一方、前記印刷機用制御装置が前記記憶装置の初期運転データをタイミングを合わせて読込んで印刷機を制御し、印刷終了後、前記印刷機用制御装置が調整運転データを前記記憶装置に保存する一方、前記情報処理装置が前記記憶装置の調整運転データを読取って保存することを特徴とする印刷システム。
【発明の詳細な説明】
【技術分野】
【０００１】
本発明は、印刷機などの産業機械の制御装置と情報処理装置との間で制御データのやり取りを行うデータ転送装置に関する。
【背景技術】
【０００２】
産業機械では、一般的に、制御装置が機械本体を制御しているが、この場合、制御装置は、オペレータが入力した加工データに基づいて機械本体を始動制御し、各種の作業を行う。例えば、産業機械としてのオフセット枚葉印刷機は、給紙部と印刷部と排紙部とから構成されている。そして、給紙台上に積み重ねられた印刷シートが、給紙部により吸引されて前方へ送り出され、印刷部で所定の印刷が施された後、排紙部により排紙台上に積み重ねられて排紙される。
【０００３】
このような印刷機で印刷を行う場合、通常、作成したデザインデータに基づいてラスターイメージデータを生成し、このデータに基づいて刷版を製作し、製作された刷版を印刷部の版胴に装着する。一方、刷版から絵柄面積率を測定し、この絵柄面積率に基づいてインク元ローラの回転量とインキキー開度を算出する。そして、印刷機コントローラは、このインク元ローラの回転量とインキキー開度に基づいて印刷機を制御し、各種の印刷作業を行う。
【０００４】
この場合、デミアにより絵柄面積率を測定し、フロッピー（登録商標）ディスクや磁気カードに格納し、印刷機のリモコンデスク（コントローラ）により格納したデータを読み取り、処理している。このような処理装置としては、下記特許文献１に記載されたものがある。
【先行技術文献】
【特許文献】
【０００５】
【特許文献１】特公平０３−０３１５８０号公報
【発明の概要】
【発明が解決しようとする課題】
【０００６】
従来の産業機械では、フロッピーディスクや磁気カードにより各種のデータのやり取りを行うことから、制御装置にフロッピーディスクドライブや磁気カードリーダを搭載する必要がある。上述した従来の印刷機の処理装置では、デミア及びリモコンデスクに、フロッピーディスクドライブや磁気カードリーダを搭載する必要がある。しかし、近年、フロッピーディスクや磁気カードの需要が減少しており、故障などが発生した場合には、その修理や交換が困難なものとなっている。この場合、フロッピーディスクドライブや磁気カードリーダを光学ドライブやフラッシュメモリなどの別の記憶装置に変更したり、全てをオンライン化したりして一括管理することも考えられるが、改造費用が高額なものとなってしまう。
【０００７】
また、印刷作業では、１つの印刷作業の制御データ（１ジョブデータ）を１つのフロッピーディスクや磁気カードに格納することとなっており、保存用のフロッピーディスクや磁気カードが膨大なものとなり、その管理が困難なものとなってしまう。
【０００８】
本発明は上述した課題を解決するものであり、高コスト化を抑制すると共にデータ管理の煩雑化を抑制するデータ転送装置及び印刷システムを提供することを目的とする。
【課題を解決するための手段】
【０００９】
上記の目的を達成するための本発明のデータ転送装置は、情報処理装置と産業機械用制御装置との間で産業機械の運転データの転送を行うデータ転送装置において、前記情報処理装置が有する前記産業機械の初期運転データを前記産業機械用制御装置の読取形式に合わせて保存して前記産業機械用制御装置が読込可能となると共に、前記産業機械用制御装置により調整された調整運転データを保存して前記情報処理装置が読込可能となる記憶装置を設けることを特徴とするものである。
【００１０】
従って、産業機械用制御装置に搭載している記憶装置の種類に拘らず、情報処理装置と産業機械用制御装置との間で運転データのやり取りが可能となり、且つ、運転データの更新が可能となり、高コスト化を抑制することができると共にデータ管理の煩雑化を抑制することができる。
【００１１】
本発明のデータ転送装置では、前記情報処理装置と前記産業機械用制御装置に、それぞれ操作装置が接続され、前記情報処理装置における操作装置の読込ボタンの操作により初期運転データが前記記憶装置に書き込まれ、前記産業機械用制御装置における操作装置の読込ボタンの操作により初期運転データが前記産業機械用制御装置に転送されて保存されることを特徴としている。
【００１２】
従って、読込ボタンの操作により初期運転データの書き込みや保存を行うことで、操作性を向上することができる。
【００１３】
本発明のデータ転送装置では、前記産業機械用制御装置における操作装置の書込ボタンの操作により調整運転データが前記記憶装置に書き込まれ、前記情報処理装置における操作装置の書込ボタンの操作により前記調整運転データが前記情報処理装置に転送されて保存されることを特徴としている。
【００１４】
従って、書込ボタンの操作により調整運転データの書き込みや保存を行うことで、操作性を向上することができる。
【００１５】
本発明のデータ転送装置では、前記情報処理装置は、前記記憶装置に書き込まれた初期運転データの読込が禁止されることを特徴としている。
【００１６】
従って、情報処理装置が保存している初期運転データの重複や上書きが防止され、高精度なデータ管理を可能とすることができる。
【００１７】
本発明のデータ転送装置では、前記産業機械用制御装置の読取形式とは、フロッピーディスクドライブまたは磁気カードリーダの読み取り形式であることを特徴としている。
【００１８】
従って、フロッピーディスクや磁気カードが故障した場合であっても運転データのやり取りを可能とすることができる。
【００１９】
本発明のデータ転送装置では、前記産業機械は、印刷機であり、前記情報処理装置は、初期運転データとしての絵柄面積率データを印刷機用制御装置の読取形式に合わせて前記記憶装置に保存する一方、前記印刷機用制御装置は、前記記憶装置の絵柄面積率データを読込んでインキキー開度またはインキ元ローラ送り量に変換して前記印刷機を制御することを特徴としている。
【００２０】
従って、絵柄面積率データを転送し、インキキー開度またはインキ元ローラ送り量に変換して印刷機を制御することができ、適正な印刷機制御を可能とすることができる。
【００２１】
本発明のデータ転送装置では、前記印刷機用制御装置は、印刷終了後に、調整運転データとしてのインキキー開度またはインキ元ローラ送り量を前記記憶装置に保存する一方、前記情報処理装置は前記記憶装置のインキキー開度またはインキ元ローラ送り量を読取って保存することを特徴としている。
【００２２】
従って、調整後のインキキー開度またはインキ元ローラ送り量を保存することで、次回の印刷作業にて、調整作業を簡素化して作業性を向上することができる。
【００２３】
本発明のデータ転送装置では、前記印刷機用制御装置は、印刷終了後に、調整運転データとしてのインキキー開度またはインキ元ローラ送り量を絵柄面積率データに変換して前記記憶装置に保存する一方、前記情報処理装置は前記記憶装置の絵柄面積率データを読取って保存することを特徴としている。
【００２４】
従って、調整後の絵柄面積率データを保存することで、別の印刷機であっても、次回の印刷作業にて、調整作業を簡素化して作業性を向上することができる。
【００２５】
本発明のデータ転送装置では、前記記憶装置は、リモコンデスク内に収容されることを特徴としている。
【００２６】
従って、装置の簡素化を可能とすることができる。
【００２７】
本発明のデータ転送装置では、前記産業機械は、印刷機であり、刷版絵柄測定装置が刷版から測定した絵柄面積率を印刷機用制御装置の読取形式に合わせて前記記憶装置に保存する一方、前記情報処理装置は、前記記憶装置の絵柄面積率を読込可能であることを特徴としている。
【００２８】
従って、刷版絵柄測定装置から情報処理装置への絵柄面積率データのやり取りが可能となり、高コスト化を抑制することができると共に、データ管理の煩雑化を抑制することができ、また、各種データの転送をオンラインで行うことで、ＦＤなどを完全に不要とすることができる。
【００２９】
また、本発明の印刷システムは、情報処理装置と印刷機用制御装置との間で印刷機の運転データの転送を行い、印刷機用制御装置が運転データを調整しながら印刷機を制御して印刷作業を行う印刷システムにおいて、前記情報処理装置が前記印刷機の初期運転データを前記印刷機用制御装置の読取形式に合わせて記憶装置に保存する一方、前記印刷機用制御装置が前記記憶装置の初期運転データを読込んで印刷機を制御し、印刷終了後、前記印刷機用制御装置が調整運転データを前記記憶装置に保存する一方、前記情報処理装置が前記記憶装置の調整運転データを読取って保存することを特徴とするものである。
【００３０】
従って、印刷機用制御装置に搭載している記憶装置の種類に拘らず、情報処理装置と印刷機用制御装置との間で運転データのやり取りが可能となり、且つ、運転データの更新が可能となり、高コスト化を抑制することができると共にデータ管理の煩雑化を抑制することができる。
【発明の効果】
【００３１】
本発明のデータ転送装置及び印刷システムによれば、情報処理装置が有する初期運転データを産業機械用制御装置の読取形式に合わせて保存して産業機械用制御装置が読込可能となると共に、産業機械用制御装置により調整された調整運転データを保存して情報処理装置が読込可能となるようにしたので、高コスト化を抑制することができると共にデータ管理の煩雑化を抑制することができる。
【図面の簡単な説明】
【００３２】
【図１】図１は、本発明の実施例１に係るデータ転送装置を表す概略構成図である。
【図２】図２は、実施例１のデータ転送装置が適用されたオフセット枚葉印刷機を表す概略構成図である。
【図３】図３は、実施例１のデータ転送装置を用いた印刷作業前の印刷データの転送処理を表すフローチャートである。
【図４】図４は、実施例１のデータ転送装置を用いた印刷作業後の印刷データの転送処理を表すフローチャートである。
【図５】図５は、本発明の実施例２に係るデータ転送装置を表す概略構成図である。
【図６】図６は、本発明の実施例３に係るデータ転送装置を表す概略構成図である。
【図７】図７は、本発明の実施例４に係るデータ転送装置を表す概略構成図である。
【発明を実施するための形態】
【００３３】
以下に添付図面を参照して、本発明に係るデータ転送装置及び印刷システムの好適な実施例を詳細に説明する。なお、この実施例によりこの発明が限定されるものではない。
【実施例１】
【００３４】
図１は、本発明の実施例１に係るデータ転送装置を表す概略構成図、図２は、実施例１のデータ転送装置が適用されたオフセット枚葉印刷機を表す概略構成図、図３は、実施例１のデータ転送装置を用いた印刷作業前の印刷データの転送処理を表すフローチャート、図４は、実施例１のデータ転送装置を用いた印刷作業後の印刷データの転送処理を表すフローチャートである。
【００３５】
図２に示すように、実施例１の印刷システム２０にて、オフセット枚葉印刷機１０は、給紙部１１と印刷部１２と排紙部１３が印刷用紙（印刷シート）Ｓの搬送方向に直列に配置されてなり、印刷部１２は、５つの印刷ユニット１２ａ，１２ｂ，１２ｃ，１２ｄ，１２ｅにより構成されている。
【００３６】
従って、給紙部１１から印刷部１２に印刷用紙Ｓが供給されると、この印刷部１２にて、５色のインキ（例えば、シアン、マゼンタ、イエロー、ブラック、ゴールド）が、印刷ユニット１２ａ，１２ｂ，１２ｃ，１２ｄ，１２ｅごとに、版胴及びブランケット胴を介して印刷面となる印刷用紙Ｓの表面に対して転写される。そして、表面に印刷が施された印刷用紙Ｓが、排紙部１３にて排出される。
【００３７】
本実施例の印刷システム２０にて、排紙部１３に隣接してリモコンデスク１４が配置され、リモコンデスク１４によりオフセット枚葉印刷機（他の印刷機にも同様に適用できるので、以下、印刷機と称する。）１０を制御可能となっている。また、リモコンデスク１４の近傍に情報処理装置（ＰＣ：Personal Computer）１５が配置され、リモコンデスク１４と情報処理装置１５との間で印刷機運転データの送受信が可能となっている。具体的には、リモコンデスク１４内に収容された後述する印刷機コントローラ２３と情報処理装置（ＰＣ）１５との間に本実施例のデータ転送装置１６が配置される。
【００３８】
データ転送装置１６は、図１に示すように、情報処理装置１５とリモコンデスク１４との間に配置され、両者の間で運転データの転送を行うものである。このデータ転送装置１６は、情報処理装置１５が有する初期運転データをリモコンデスク１４の読取形式に合わせて保存してリモコンデスク１４が読込可能となると共に、リモコンデスク１４により調整された調整運転データを保存して情報処理装置１５が読込可能となる記憶装置としてのインターフェース装置（ＶＢＴ基板）１７を有している。
【００３９】
リモコンデスク１４は、操作部２１と表示部２２を有すると共に、印刷機１０を制御する印刷機コントローラ（産業機械用制御装置）２３を有している。この印刷機コントローラ２３は、図示しないが、ＣＰＵ（Central Processing Unit）を中心とするマイクロプロセッサとして構成されており、このＣＰＵの他に、処理プログラムを記憶するＲＯＭ（Read Only Memory）と、データを一時的に記憶するＲＡＭ（Random Access Memory）などを有している。また、リモコンデスク１４は、ＦＤ（フロッピーディスク）との間で運転データの送受信が可能なＦＤＤ（フロッピーディスクドライブ）２４を有している。
【００４０】
情報処理装置１５は、操作部２５と表示部２６を有すると共に、図示しないが、ＣＰＵ、ＲＯＭ、ＲＡＭ、ＧＵＩ（Graphical User Interface）などを搭載しており、このＣＰＵが記憶されたデータ転送プログラムを処理可能となっている。このデータ転送プログラムとは、後述するが、ＧＵＩの環境下で処理されるものであり、情報処理装置１５とインターフェース装置１７との間で運転データ（絵柄面積率データ、インキキー開度データ、インキ元ローラ送り量データ）の送受信を行うものである。また、情報処理装置１５は、ＦＤとの間で運転データの送受信が可能なＦＤＤ２７を有している。
【００４１】
インターフェース装置１７は、実際には、リモコンデスク１４内に搭載され、ＦＰＧＡ（Field Programmable Gate Array）、ＣＰＵ、ＲＡＭなどを搭載しており、リモコンデスク１４（印刷機コントローラ２３）または情報処理装置１５からの指令によりＲＡＭに運転データを書込み可能であると共に、読込可能となっている。この場合、ＲＡＭが記憶装置として機能する。そして、インターフェース装置１７は、入出力ポート２８を介して情報処理装置１５に接続されると共に、入出力ポート２９を介してリモコンデスク１４（印刷機コントローラ２３）と接続されている。この場合、入出力ポート２８は、例えば、ＵＳＢポートである。
【００４２】
なお、リモコンデスク１４に装着されたＦＤＤ２４が不要である場合には、このＦＤＤ２４に代えてインターフェース装置１７を装着する。
【００４３】
ここで、上述した本実施例の印刷システム２０による印刷作業について、図３及び図４のフローチャートに基づいて説明する。
【００４４】
本実施例の印刷システム２０において、図１及び図３に示すように、ステップＳ１１にて、ＲＩＰ（Raster Image Processor）３１は、デザインデータに基づいて印刷機１０の解像度に応じたビットマップのイメージ(ラスターデータ)を生成する。ステップＳ１２にて、ＣＴＰ（Computer to Plate／製版機）３２は、このラスターデータに基づいて各色に応じた５枚の刷版３３ａ，３３ｂ，３３ｃ，３３ｄ，３３ｅを製作する。ステップＳ１３にて、ＤＥＭＩＡ（Demia／刷版絵柄測定装置）３４は、各刷版３３ａ，３３ｂ，３３ｃ，３３ｄ，３３ｅを読み取り、インキの供給方向における絵柄面積率（デミア）データを測定する。このＤＥＭＩＡ３４は、ＦＤＤ３４ａを有しており、ステップＳ１４にて、絵柄面積率データをこのＦＤＤ３４ａを用いてＦＤに格納する。この場合、絵柄面積率データは、５色のインキに対応した５つが１セットとなっている。
【００４５】
ステップＳ１５にて、オペレータは、絵柄面積率データが格納されたＦＤを情報処理装置１５のＦＤＤ２７に挿入し、ＦＤＤ２７から絵柄面積率データを読み出し、初期運転データとして、この絵柄面積率データを所定のフォルダに格納する。この場合、情報処理装置１５には、他の絵柄面積率データなどを格納したフォルダが複数あることから、印刷に必要な絵柄面積率データを選択する。ステップＳ１６にて、オペレータは、操作部２５にある「読込」ボタンを押す（ＯＮ）と、ステップＳ１７にて、情報処理装置１５にあって選択された絵柄面積率データがＦＤのフォーマット形式でインターフェース装置１７のＲＡＭに書き込まれ、保存される。
【００４６】
ステップＳ１８にて、オペレータは、リモコンデスク１４の操作部２１によりインターフェース装置１７のＲＡＭに書き込まれたデータを読込み、ステップＳ１９にて、操作部２１にある「読込」ボタンを押す（ＯＮ）と、ステップＳ２０にて、印刷機コントローラ２３は、インターフェース装置１７のＲＡＭに書き込まれた絵柄面積率データを読込み、このデータを転送して印刷機１０のインキキー開度及びインキ元ローラ送り量データに変換し、保存する。この場合、このステップＳ２０では、インターフェース装置１７は、ＲＡＭに書き込まれた絵柄面積率データを、印刷機コントローラ２３が要求する形式で、且つ、同期タイミングで内部クロックを取っており、その結果、印刷機コントローラ２３は、容易にこの絵柄面積率データを読込むことができる。なお、インキ元ローラ送り量とは、インキ元ローラ回転量またはインキ元ローラ回転数である。絵柄面積率データをインキキー開度やインキ元ローラ回転量（回転数）に変換する場合、所定のインキ元ローラ回転数に応じて、絵柄面積率データに対するインキキー開度が設定されるパラメータテーブルを複数用意しておき、パラメータテーブルを用いて最適なインキキー開度及びインキ元ローラ回転量のデータを設定すればよい。なお、印刷機コントローラ２３は、インキキー開度及びインキ元ローラ回転量だけでなく、絵柄面積率データを保存してもよい。
【００４７】
そして、ステップＳ２１にて、オペレータは、リモコンデスク１４により印刷機を稼動し、インキキー開度及びインキ元ローラ回転量を調整する色合わせ作業を行い、最適なインキキー開度及びインキ元ローラ回転量を設定して保存する。ステップＳ２２にて、オペレータは、設定した最適なインキキー開度及びインキ元ローラ回転量を用いて印刷機１０を稼動し、印刷作業を開始する。
【００４８】
このようにして印刷機１０が所定枚数の印刷物を印刷し、図１及び図４に示すように、ステップＳ３１にて、印刷作業の終了が確認されると、ステップＳ３２にて、リモコンデスク１４にて、印刷に使用した調整運転データとして、最適なインキキー開度及びインキ元ローラ回転量のデータを選択する。ステップＳ３３にて、オペレータは、操作部２１にある「書込」ボタンを押す（ＯＮ）と、ステップＳ３４にて、印刷機コントローラ２３にあって選択された最適なインキキー開度及びインキ元ローラ回転量のデータがＦＤのフォーマット形式でインターフェース装置１７のＲＡＭに書き込まれ、保存される。この場合、ＲＡＭに書き込まれていた以前のデータに上書き処理される。
【００４９】
ステップＳ３５にて、オペレータは、情報処理装置１５の操作部２５によりインターフェース装置１７のＲＡＭに書き込まれたデータを読み込み、ステップＳ３６にて、操作部２５にある「書込」ボタンを押す（ＯＮ）と、ステップＳ３７にて、情報処理装置１５は、インターフェース装置１７のＲＡＭに書き込まれた最適なインキキー開度及びインキ元ローラ回転量のデータを読込み、転送して保存する。この場合、情報処理装置１５には、最適なインキキー開度及びインキ元ローラ回転量のデータの基礎となる絵柄面積率データを格納したフォルダが既にあることから、この既存のフォルダに、絵柄面積率データと共に最適なインキキー開度及びインキ元ローラ回転量のデータが保存される。
【００５０】
なお、上述の説明では、調整運転データとして、最適なインキキー開度及びインキ元ローラ回転量のデータを選択し、このデータを、インターフェース装置１７を介して情報処理装置１５に転送したが、この処理は簡易リピートデータとして転送しており、この方法に限るものではない。
【００５１】
即ち、リモコンデスク１４にて、印刷に使用した最適なインキキー開度及びインキ元ローラ回転量のデータを、上述したパラメータテーブルを用いて絵柄面積率データに逆変換し、調整運転データとして、この逆変換した絵柄面積率データを選択し、このデータをＦＤのフォーマット形式でインターフェース装置１７のＲＡＭに書き込む。そして、情報処理装置１５の操作部２５によりインターフェース装置１７のＲＡＭに書き込まれたデータ（逆変換した絵柄面積率データ）を読込んで保存する。この処理は、リピートデータとして転送することとなる。
【００５２】
情報処理装置１５が簡易リピートデータ（最適なインキキー開度及びインキ元ローラ回転量のデータ）保存した場合には、同じ印刷機を用いた次回の同様な印刷作業にて、このデータを使用することで、印刷機の色合わせ作業を短時間で容易に行うことができる。一方、リピートデータ（逆変換した絵柄面積率データ）保存した場合には、異なる印刷機を用いた次回の同様な印刷作業にて、このデータを使用することで、印刷機の色合わせ作業を短時間で容易に行うことができる。
【００５３】
また、情報処理装置１５は、インターフェース装置１７のＲＡＭに書き込まれた初期運転データ（絵柄面積率データ）の読込みが禁止されており、オペレータの誤操作により、ＲＡＭに書き込まれている初期運転データを情報処理装置１５に保存しようとしても、この作業が禁止される。そのため、情報処理装置１５が保存している初期運転データの重複や上書きが防止される。
【００５４】
また、情報処理装置１５や印刷機コントローラ２３が、インターフェース装置１７のＲＡＭに書き込まれた各種データを保存する前に、オペレータが誤って電源をＯＦＦすると、ＲＡＭの各種データが消えてしまうことから、コンデンサを搭載することで、所定時間にわたってデータを維持できるようにすることが望ましい。
【００５５】
なお、印刷機１０にて、過去に印刷作業で使用した刷版で再び印刷作業を行う場合、情報処理装置１５には、既にこの使用する刷版に対応して絵柄面積率データ、並びに、調整済の最適なインキキー開度及びインキ元ローラ回転量のデータが１つのフォルダに保存されていることから、このデータを用いて印刷を行う。この場合、オペレータは、情報処理装置１５に保存されている、初期運転データとして、調整済の最適なインキキー開度及びインキ元ローラ回転量のデータを適用し、この調整済の最適なインキキー開度及びインキ元ローラ回転量のデータをＦＤのフォーマット形式でインターフェース装置１７のＲＡＭに保存することとなる。
【００５６】
そして、オペレータは、リモコンデスク１４側からインターフェース装置１７のＲＡＭに書き込まれた調整済の最適なインキキー開度及びインキ元ローラ回転量のデータを読込み、印刷機コントローラ２３は、このデータを保存する。但し、インキキー開度やインキ元ローラ回転量は、その日の気温や湿度などにより最適なものが異なることから、オペレータは、この調整済の最適なインキキー開度及びインキ元ローラ回転量のデータを再調整し、再調整した最適なインキキー開度及びインキ元ローラ回転量を用いて印刷機１０を稼動すると共に保存し、これを調整運転データとする。
【００５７】
なお、ここでは、印刷機の場合について説明していたが、一般の産業機械の場合も、運転に影響しうる資材や環境の因子に応じて、最適なものが多少異なる場合は、オペレータが運転にかかる諸条件を調整して最適化し、産業機械を稼動すると共に保存し、これを調整運転データとする。
【００５８】
なお、本実施例では、リモコンデスク１４及び情報処理装置１５にＦＤＤ２４，２７を搭載していることから、印刷機コントローラ２３の読取形式とは、ＦＤＤの読取形式としている。
【００５９】
このように実施例１のデータ転送装置１６並びに印刷システム２０にあっては、情報処理装置１５が有する初期運転データをリモコンデスク１４の印刷機コントローラ２３の読取形式に合わせて保存して印刷機コントローラ２３が読込可能となると共に、印刷機コントローラ２３により調整された調整運転データを保存して情報処理装置１５が読込可能となるインターフェース装置１７を設けている。
【００６０】
従って、リモコンデスク１４に搭載しているＦＤＤ２４などの種類に拘らず、情報処理装置１５と印刷機コントローラ２３との間で運転データのやり取りが可能となり、且つ、運転データの更新が可能となり、高コスト化を抑制することができると共に、データ管理の煩雑化を抑制することができる。
【００６１】
また、実施例１のデータ転送装置１６では、情報処理装置１５とリモコンデスク１４にそれぞれ操作部２５，２１を接続し、情報処理装置１５における操作部２５の読込ボタンの操作により初期運転データをインターフェース装置１７に書き込み、リモコンデスク１４における操作部２１の読込ボタンの操作により初期運転データを印刷機コントローラ２３に保存するようにしている。従って、読込ボタンの操作により初期運転データの書き込みや保存を行うことで、操作性を向上することができる。
【００６２】
また、実施例１のデータ転送装置１６では、リモコンデスク１４における操作部２１の書込ボタンの操作により調整運転データをインターフェース装置１７に書き込み、情報処理装置１５における操作部２５の書込ボタンの操作により調整運転データを情報処理装置１５に保存するようにしている。従って、書込ボタンの操作により調整運転データの書き込みや保存を行うことで、操作性を向上することができる。
【００６３】
また、実施例１のデータ転送装置１６では、情報処理装置１５によるインターフェース装置１７に書き込まれた初期運転データの読込を禁止している。従って、情報処理装置１５が保存している初期運転データの重複や上書きが防止され、高精度なデータ管理を可能とすることができる。
【００６４】
また、実施例１のデータ転送装置１６では、印刷機コントローラ２３の読取形式をフロッピーディスクドライブの読取形式としている。従って、フロッピーディスクが故障した場合であっても運転データのやり取りを可能とすることができる。
【００６５】
また、実施例１のデータ転送装置１６では、情報処理装置１５は、初期運転データとして絵柄面積率データを印刷機コントローラ２３の読取形式に合わせてインターフェース装置１７に保存する一方、印刷機コントローラ２３はインターフェース装置１７の絵柄面積率データを読込ってインキキー開度またはインキ元ローラ回転量に変換して印刷機１０を制御している。従って、絵柄面積率データを転送し、インキキー開度またはインキ元ローラ回転量に変換して印刷機１０を制御することができ、適正な印刷機制御を可能とすることができる。
【００６６】
また、実施例１のデータ転送装置１６では、リモコンデスク１４の印刷機コントローラ２３は、印刷終了後にインキキー開度またはインキ元ローラ回転量をインターフェース装置１７に保存する一方、情報処理装置１５は、インターフェース装置１７のインキキー開度またはインキ元ローラ回転量を読取って保存している。従って、調整後のインキキー開度またはインキ元ローラ回転量を保存することで、次回の印刷作業にて、調整作業を簡素化して作業性を向上することができる。
【００６７】
また、実施例１のデータ転送装置１６では、印刷機コントローラ２３は、印刷終了後にインキキー開度またはインキ元ローラ回転量を絵柄面積率データに逆変換してインターフェース装置１７に保存する一方、情報処理装置１５は、インターフェース装置１７の絵柄面積率データを読取って保存するようにしてもよい。従って、調整後の絵柄面積率データを保存することで、別の印刷機であっても、次回の印刷作業にて、調整作業を簡素化して作業性を向上することができる。
【００６８】
また、実施例１のデータ転送装置１６では、印刷機コントローラ２３とインターフェース装置１７を構成するＶＢＴ基板をリモコンデスク１４内に収容しており、装置の簡素化を可能とすることができる。
【実施例２】
【００６９】
図５は、本発明の実施例２に係るデータ転送装置を表す概略構成図である。なお、前述した実施例で説明したものと同様の機能を有する部材には同一の符号を付して重複する説明は省略する。
【００７０】
図５に示すように、実施例２の印刷システム２０Ａにて、データ転送装置４０は、情報処理装置１５とリモコンデスク１４の印刷機コントローラ２３との間で運転データの転送を行うものであり、情報処理装置１５が有する初期運転データをリモコンデスク１４内の印刷機コントローラ２３の読取形式に合わせて保存して印刷機コントローラ２３が読込可能となると共に、印刷機コントローラ２３により調整された調整運転データを保存して情報処理装置１５が読込可能となるインターフェース装置１７を有している。
【００７１】
本実施例では、ＣＴＰ３２と情報処理装置１５との間にＰＰＣ（Press CIP3/4 Control System）サーバ４１がケーブルによりオンラインで接続されている。このＰＰＣサーバ４１は、ＣＴＰ３２からＣＩＰ３／４のイメージデータを受信し、制御用データに変換して蓄積する。蓄積された制御用データは、情報処理装置１５へ送信される。そのため、ＤＥＭＩＡ３４やＦＤが不要となる。
【００７２】
従って、ＲＩＰ３１が、デザインデータに基づいて印刷機１０の解像度に応じたビットマップのイメージ(ラスターデータ)を生成し、ＣＴＰ３２が、このラスターデータに基づいて各色に応じた５枚の刷版を製作すると共に、ＰＰＣサーバ４１にラスターデータを送信する。ＰＰＣサーバ４１は、ＣＴＰ３２からラスターデータを受信し、これを制御用データ、つまり、絵柄面積率データに変換して蓄積する。
【００７３】
情報処理装置１５は、ＰＰＣサーバ４１から絵柄面積率データを受取り、初期運転データとして、この絵柄面積率データを所定のフォルダに格納する。オペレータは、操作部２５にある「読込」ボタンを押す（ＯＮ）と、情報処理装置１５にあって選択された絵柄面積率データがＦＤのフォーマット形式でインターフェース装置１７のＲＡＭに書き込まれ、保存される。以下の処理は、上述した実施例１と同様であるため、説明は省略する。
【００７４】
このように実施例２のデータ転送装置４０にあっては、情報処理装置１５が有する初期運転データをリモコンデスク１４の印刷機コントローラ２３の読取形式に合わせて保存して印刷機コントローラ２３が読込可能となると共に、印刷機コントローラ２３により調整された調整運転データを保存して情報処理装置１５が読込可能となるインターフェース装置１７を設けており、ＲＩＰ３１、ＣＴＰ３２、ＰＰＣサーバ４１、情報処理装置１５をオンラインで接続されている。
【００７５】
従って、情報処理装置１５と印刷機コントローラ２３との間で運転データのやり取りが可能となり、且つ、運転データの更新が可能となり、高コスト化を抑制することができると共に、データ管理の煩雑化を抑制することができる。また、各種データの転送をオンラインで行うことで、ＦＤなどを完全に不要とすることができる。
【実施例３】
【００７６】
図６は、本発明の実施例３に係るデータ転送装置を表す概略構成図である。なお、前述した実施例で説明したものと同様の機能を有する部材には同一の符号を付して重複する説明は省略する。
【００７７】
図６に示すように、実施例３の印刷システム２０Ｂにて、データ転送装置５０は、情報処理装置１５とリモコンデスク１４の印刷機コントローラ２３との間で運転データの転送を行うものであり、情報処理装置１５が有する初期運転データをリモコンデスク１４内の印刷機コントローラ２３の読取形式に合わせて保存して印刷機コントローラ２３が読込可能となると共に、印刷機コントローラ２３により調整された調整運転データを保存して情報処理装置１５が読込可能となるインターフェース装置１７を有している。
【００７８】
また、本実施例では、ＤＥＭＩＡ３４と情報処理装置１５との間でデータの転送を可能とするため、両者の間にデータ転送装置５０Ａが設けられている。このデータ転送装置５０Ａは、ＤＥＭＩＡ３４から受取った絵柄面積率データを情報処理装置１５の読取形式、つまり、印刷機コントローラ２３の読取形式に合わせて保存して情報処理装置１５が読込可能となる第２記憶装置としての第２インターフェース装置（ＶＢＴ基板）５４を有しており、この第２インターフェース装置５４に第２情報処理装置５１を接続され、第２情報処理装置５１が第２情報処理装置１５に接続されている。
【００７９】
第２情報処理装置５１は、操作部５２と表示部５３を有すると共に、図示しないが、ＣＰＵ、ＲＯＭ、ＲＡＭ、ＧＵＩなどを搭載しており、このＣＰＵが記憶されたデータ転送プログラムを処理可能となっている。このデータ転送プログラムとは、ＧＵＩの環境下で処理されるものであり、ＤＥＭＩＡ３４から第２インターフェース装置５４へ運転データ（絵柄面積率データ）の送信、第２インターフェース装置５４から第２情報処理装置５１への運転データの送信を行うものである。そのため、ＦＤが不要となる。
【００８０】
また、第２インターフェース装置５４は、ＦＰＧＡ、ＣＰＵ、ＲＡＭなどを搭載しており、ＤＥＭＩＡ３４からの運転データ（絵柄面積率データ）の書込が可能となっている。この場合、ＲＡＭが記憶装置として機能する。そして、第２インターフェース装置５４は、入出力ポート５５を介してＤＥＭＩＡ３４に接続されると共に、入出力ポート５６を介して第２情報処理装置５１と接続されている。この場合、入出力ポート２８は、例えば、ＵＳＢポートである。
【００８１】
従って、ＲＩＰ３１が、デザインデータに基づいて印刷機１０の解像度に応じたビットマップのイメージ(ラスターデータ)を生成し、ＣＴＰ３２が、このラスターデータに基づいて各色に応じた５枚の刷版３３ａ，３３ｂ，３３ｃ，３３ｄ，３３ｅを製作する。ＤＥＭＩＡ３４は、各刷版３３ａ，３３ｂ，３３ｃ，３３ｄ，３３ｅを読み取り、絵柄面積率データを第２情報処理装置５１に保存する。
【００８２】
オペレータが、ＤＥＭＩＡ３４を操作すると、絵柄面積率データがＦＤのフォーマット形式で第２インターフェース装置５４のＲＡＭに書き込まれ、保存される。オペレータは、第２情報処理装置５１の操作部５２により第２インターフェース装置５４のＲＡＭに書き込まれデータを読み込み、操作部５２にある「読込」ボタンを押す（ＯＮ）と、第２インターフェース装置５４のＲＡＭに書き込まれた絵柄面積率データを読込み、保存する。そして、第２情報処理装置５１は、読込んだ絵柄面積率データを情報処理装置１５へ送信する。以下の処理は、上述した実施例１と同様であるため、説明は省略する。
【００８３】
このように実施例３のデータ転送装置５０にあっては、ＤＥＭＩＡ３４と情報処理装置１５との間に、第２情報処理装置５１、第２インターフェース装置５４を接続し、ＤＥＭＩＡ３４が有する初期運転データを第２インターフェース装置５４に情報処理装置１５、つまり、リモコンデスク１４の印刷機コントローラ２３の読取形式に合わせて保存して情報処理装置５１，１５が読込可能としている。
【００８４】
従って、ＤＥＭＩＡ３４と情報処理装置１５との間で運転データのやり取りが可能となり、高コスト化を抑制することができると共に、データ管理の煩雑化を抑制することができる。また、各種データの転送をオンラインで行うことで、ＦＤなどを完全に不要とすることができる。
【実施例４】
【００８５】
図７は、本発明の実施例４に係るデータ転送装置を表す概略構成図である。なお、前述した実施例で説明したものと同様の機能を有する部材には同一の符号を付して重複する説明は省略する。
【００８６】
図７に示すように、実施例４の印刷システム２０Ｃにて、データ転送装置６０は、情報処理装置１５とリモコンデスク１４の印刷機コントローラ２３との間で運転データの転送を行うものであり、情報処理装置１５が有する初期運転データをリモコンデスク１４内の印刷機コントローラ２３の読取形式に合わせて保存して印刷機コントローラ２３が読込可能となると共に、印刷機コントローラ２３により調整された調整運転データを保存して情報処理装置１５が読込可能となるインターフェース装置１７を有している。
【００８７】
この場合、本実施例では、リモコンデスク１４の印刷機コントローラ２３の読取形式を、磁気カードＣの読取形式としている。そのため、リモコンデスク１４は、磁気カードリーダ６２を搭載している。一方、ＤＥＭＩＡ３４も、磁気カードリーダ３４ｂを搭載している。
【００８８】
また、本実施例では、磁気カードＣのデータをＦＤの形式に変換する変換機６１が設けられている。
【００８９】
従って、ＲＩＰ３１が、デザインデータに基づいて印刷機１０の解像度に応じたビットマップのイメージ(ラスターデータ)を生成し、ＣＴＰ３２が、このラスターデータに基づいて各色に応じた５枚の刷版３３ａ，３３ｂ，３３ｃ，３３ｄ，３３ｅを製作する。ＤＥＭＩＡ３４は、各刷版３３ａ，３３ｂ，３３ｃ，３３ｄ，３３ｅを読み取り、磁気カードリーダ３４ｂを用いてこの絵柄面積率データを磁気カードＣに書き込む。
【００９０】
オペレータは、絵柄面積率データが書き込まれた磁気カードＣを変換機６１に通すことで、絵柄面積率データをＦＤの記録形式に変換し、ＦＤに格納する。この場合、変換機６１は、ＦＤＤを搭載している。
【００９１】
続いて、オペレータは、絵柄面積率データが格納されたＦＤを情報処理装置１５のＦＤＤ２７に挿入し、ＦＤＤ２７から絵柄面積率データを読み出し、初期運転データとして、この絵柄面積率データを所定のフォルダに格納する。そして、オペレータは、操作部２５にある「読込」ボタンを押す（ＯＮ）と、情報処理装置１５にあって選択された絵柄面積率データが磁気カードＣのフォーマット形式でインターフェース装置１７のＲＡＭに書き込まれ、保存される。
【００９２】
オペレータは、リモコンデスク１４の操作部２１によりインターフェース装置１７のＲＡＭに書き込まれデータを読み込み、操作部２１にある「読込」ボタンを押す（ＯＮ）と、印刷機コントローラ２３は、インターフェース装置１７のＲＡＭに書き込まれた絵柄面積率データを読込み、印刷機１０のインキキー開度及びインキ元ローラ送り量データに変換し、保存する。以下の処理は、上述した実施例１と同様であるため、説明は省略する。
【００９３】
このように実施例４のデータ転送装置６０にあっては、情報処理装置１５が有する初期運転データをリモコンデスク１４の印刷機コントローラ２３の読取形式に合わせて保存して印刷機コントローラ２３が読込可能となると共に、印刷機コントローラ２３により調整された調整運転データを保存して情報処理装置１５が読込可能となるインターフェース装置１７を設けている。
【００９４】
従って、印刷機コントローラ２３の読取形式が磁気カードリーダ６２の読取形式であっても、情報処理装置１５と印刷機コントローラ２３との間で運転データのやり取りが可能となり、且つ、運転データの更新が可能となり、高コスト化を抑制することができると共に、データ管理の煩雑化を抑制することができる。
【００９５】
なお、上述の各実施例では、本発明のデータ転送装置及び印刷システムをオフセット枚葉印刷機に適用したが、輪転印刷機に使用することもできる。また、本発明のデータ転送装置を印刷機に適用したが、工作機械などの他の産業機械に使用することもできる。
【産業上の利用可能性】
【００９６】
以上のように、本発明に係るデータ転送装置及び印刷システムは、初期運転データを所定の読取形式に合わせて保存すると共に、調整された調整運転データを保存する記憶装置を設けることで、高コスト化を抑制すると共にデータ管理の煩雑化を抑制するものであり、いずれの産業機械、印刷機にも適用することができる。
【符号の説明】
【００９７】
１０  オフセット枚葉印刷機
１４  リモコンデスク
１５  情報処理装置
１６，４０，５０，５０Ａ，６０  データ転送装置
１７  インターフェース装置、ＶＢＴ基板（記憶装置）
２０，２０Ａ，２０Ｂ，２０Ｃ  印刷システム
２１，２５，５２  操作部
２２，２６，５３  表示部
２３  印刷機コントローラ（産業機械用制御装置、印刷機用制御装置）
２４，２７  ＦＤＤ、フロッピーディスクドライブ
３４  ＤＥＭＩＡ、（刷版絵柄測定装置）
４１  ＰＰＣサーバ
５１  第２情報処理装置
５４  第２インターフェース装置、ＶＢＴ基板（第２記憶装置）
６１  変換機
６２  磁気カードリーダ
【図１】
0005461964.tif 000002
【図２】
0005461964.tif 000003
【図３】
0005461964.tif 000004
【図４】
0005461964.tif 000005
【図５】
0005461964.tif 000006
【図６】
0005461964.tif 000007
【図７】
0005461964.tif 000008